【事件の表示】
　特願２００１−　２２７７２「印刷画像のプレビュー装置、方法、および記録媒体並びにプログラム」拒絶査定不服審判事件〔平成１４年　６月１１日出願公開、特開２００２−１６６６１６〕について、次のとおり審決する。
【結　論】
　本件審判の請求は、成り立たない。
【理　由】
１．手続の経緯
　本願は、平成１３年１月３１日（優先権主張平成１２年９月２１日）の出願であって、平成１９年１１月１９日付けで通知された拒絶理由に対し、平成２０年１月２１日に手続補正書が提出されたが、同年４月３０日付けで拒絶査定がなされ、これに対して同年６月１１日付けで審判請求がされるとともに、同年６月２７日付けで手続補正書が提出され、その後、当審から送付した審尋に対し、平成２２年３月１日付けで回答書が提出されたものである。
　
２．平成２０年６月２７日付け手続補正についての補正却下の決定
　
［補正の却下の決定の結論］
　平成２０年６月２７日付けの手続補正を却下する。
　
［理由］
（１）補正事項
　平成２０年６月２７日付けの手続補正（以下、「本件補正」という。）により、特許請求の範囲は、本件補正前の平成２０年１月２１日付け手続補正書により補正された、
 　
「【請求項１】印刷実行前に印刷結果を表示する印刷画像のプレビュー装置であって、
媒体に対して印刷を行うための第１印刷データを作成する第１印刷データ作成手段と、
前記第１印刷データによる印刷が行われた媒体に対して前記第１印刷データの印刷像に重ね合わせて印刷を行うための第２印刷データを作成する第２印刷データ作成手段と、
前記第１印刷データに第２印刷データを上書き合成した第３印刷データを作成する第３印刷データ作成手段と、
前記第３印刷データの印刷像を表示する表示手段と、
を有する印刷画像のプレビュー装置。
　　【請求項２】前記第３印刷データ作成手段が、前記第１印刷データおよび第２印刷データとから第３印刷データを作成する際、前記第１印刷データと複数の前記第２印刷データとから第３印刷データを作成すること、を特徴とする請求項１に記載の印刷画像のプレビュー装置。
　　【請求項３】前記第１印刷データ作成手段および第２印刷データ作成手段が前記第１印刷データおよび第２印刷データに対してオフセット情報を付加することにより、前記第３印刷データ作成手段は前記第１印刷データおよび／もしくは第２印刷データに付加されたオフセット情報を参照して第３印刷データを作成すること、を特徴とする請求項１に記載の印刷画像のプレビュー装置。
　　【請求項４】印刷実行前に印刷結果を表示する印刷画像のプレビュー方法であって、
媒体に対して印刷を行うための第１印刷データを作成する第１印刷データ作成工程と、
前記第１印刷データによる印刷が行われた媒体に対して前記第１印刷データの印刷像に重ね合わせて印刷を行うための第２印刷データを作成する第２印刷データ作成工程と、
前記第１印刷データに第２印刷データを上書き合成した第３印刷データを作成する第３印刷データ作成工程と、
前記第３印刷データの印刷像を表示する表示工程と、
を有する印刷画像のプレビュー方法。
　　【請求項５】印刷実行前に印刷結果を表示する印刷画像のプレビュー方法をコンピュータに実行させるためのプログラムを記録したコンピュータ読み取り可能な記録媒体であって、前記プログラムは前記コンピュータに、
媒体に対して印刷を行うための第１印刷データを作成する第１印刷データ作成工程と、
前記第１印刷データによる印刷が行われた媒体に対して前記第１印刷データの印刷像に重ね合わせて印刷を行うための第２印刷データを作成する第２印刷データ作成工程と、
前記第１印刷データに第２印刷データを上書き合成した第３印刷データを作成する第３印刷データ作成工程と、
前記第３印刷データの印刷像を表示する表示工程と、
を実行させるコンピュータ読み取り可能な記録媒体。
　　【請求項６】印刷実行前に印刷結果を表示する印刷画像のプレビュー方法をコンピュータに実行させるためのプログラムであって、前記プログラムは前記コンピュータに、
媒体に対して印刷を行うための第１印刷データを作成する第１印刷データ作成工程と、
前記第１印刷データによる印刷が行われた媒体に対して前記第１印刷データの印刷像に重ね合わせて印刷を行うための第２印刷データを作成する第２印刷データ作成工程と、
前記第１印刷データに第２印刷データを上書き合成した第３印刷データを作成する第３印刷データ作成工程と、
前記第３印刷データの印刷像を表示する表示工程と、
を実行させるプログラム。」
　
から、
　
「【請求項１】印刷実行前に印刷結果を表示する印刷画像のプレビュー装置であって、
媒体に対して印刷を行うためのオフセット情報が付加された第１印刷データを作成する第１印刷データ作成手段と、
前記第１印刷データによる印刷が行われた媒体に対して前記第１印刷データの印刷像に重ね合わせて追い刷り印刷を行うためのオフセット情報が付加された第２印刷データを作成する第２印刷データ作成手段と、
前記第１印刷データおよび／もしくは第２印刷データに付加されたオフセット情報を参照して前記第１印刷データに第２印刷データを第１印刷データをマスクするように上書き合成した第３印刷データを作成する第３印刷データ作成手段と、
前記第３印刷データの印刷像を表示する表示手段と、
を有する印刷画像のプレビュー装置。
　　【請求項２】前記第３印刷データ作成手段が、前記第１印刷データおよび第２印刷データとから第３印刷データを作成する際、前記第１印刷データと複数の前記第２印刷データとから第３印刷データを作成すること、を特徴とする請求項１に記載の印刷画像のプレビュー装置。
　　【請求項３】印刷実行前に印刷結果を表示する印刷画像のプレビュー方法であって、
媒体に対して印刷を行うためのオフセット情報が付加された第１印刷データを作成する第１印刷データ作成工程と、
前記第１印刷データによる印刷が行われた媒体に対して前記第１印刷データの印刷像に重ね合わせて追い刷り印刷を行うためのオフセット情報が付加された第２印刷データを作成する第２印刷データ作成工程と、
前記第１印刷データおよび／もしくは第２印刷データに付加されたオフセット情報を参照して前記第１印刷データに第２印刷データを第１印刷データをマスクするように上書き合
成した第３印刷データを作成する第３印刷データ作成工程と、
前記第３印刷データの印刷像を表示する表示工程と、
を有する印刷画像のプレビュー方法。
　　【請求項４】印刷実行前に印刷結果を表示する印刷画像のプレビュー方法をコンピュータに実行させるためのプログラムを記録したコンピュータ読み取り可能な記録媒体であって、前記プログラムは前記コンピュータに、
媒体に対して印刷を行うためのオフセット情報が付加された第１印刷データを作成する第１印刷データ作成工程と、
前記第１印刷データによる印刷が行われた媒体に対して前記第１印刷データの印刷像に重ね合わせて追い刷り印刷を行うためのオフセット情報が付加された第２印刷データを作成する第２印刷データ作成工程と、
前記第１印刷データおよび／もしくは第２印刷データに付加されたオフセット情報を参照して前記第１印刷データに第２印刷データを第１印刷データをマスクするように上書き合成した第３印刷データを作成する第３印刷データ作成工程と、
前記第３印刷データの印刷像を表示する表示工程と、
を実行させるコンピュータ読み取り可能な記録媒体。
　　【請求項５】印刷実行前に印刷結果を表示する印刷画像のプレビュー方法をコンピュータに実行させるためのプログラムであって、前記プログラムは前記コンピュータに、
媒体に対して印刷を行うためのオフセット情報が付加された第１印刷データを作成する第１印刷データ作成工程と、
前記第１印刷データによる印刷が行われた媒体に対して前記第１印刷データの印刷像に重ね合わせて追い刷り印刷を行うためのオフセット情報が付加された第２印刷データを作成する第２印刷データ作成工程と、
前記第１印刷データおよび／もしくは第２印刷データに付加されたオフセット情報を参照して前記第１印刷データに第２印刷データを第１印刷データをマスクするように上書き合成した第３印刷データを作成する第３印刷データ作成工程と、
前記第３印刷データの印刷像を表示する表示工程と、
を実行させるプログラム。」
　
に補正された。
　
　上記補正は、請求項１については、請求項１に記載した発明を特定するための事項である「第１印刷データ」及び「第２印刷データ」に対して、それぞれ「オフセット情報が付加された」という限定を付加し、同じく請求項１に記載した発明を特定するための事項である（第１印刷データに第２印刷データを）「上書き合成」（して第３印刷データを作成する）ことに対して、「印刷」が「追い刷り印刷」であること、「第２印刷データ」が「第１印刷データをマスクするように」することを明確化し、さらにその「上書き合成」するにあたって、「第１印刷データおよび／もしくは第２印刷データに付加されたオフセット情報を参照して」行うという限定を付加したものである。また、請求項３を削除して、請求項４〜６をそれぞれ請求項３〜５に繰り上げ、繰り上げた請求項３〜５については、請求項１と同様の補正をしたものであるから、これらの補正事項は、全体として平成１４年法律第２４号改正附則第２条第１項によりなお従前の例によるとされる同法による改正前の同法による改正前の特許法第１７条の２第４項第２号の特許請求の範囲の減縮を目的とするものに該当する。
　
　そこで、本件補正後の特許請求の範囲の請求項１に記載された発明（以下、「本願補正発明」という。）が、特許出願の際に独立して特許を受けることができるものであるかについて以下に検討する。
　
（２）引用刊行物
　
（２−１）引用刊行物１
　本願の優先日前に頒布された特開平７−２５０２３７号公報（前置報告書における引用文献１、以下、「引用刊行物１」という。）には、図面とともに以下の事項が記載されている（下線は当審で付与）。
　
（１ａ）「【００１３】〈第１実施例〉図１は、本発明の第１実施例に係る画像情報編集装置の構成図である。図中、１０１は画像データの流れを管理し各処理部に処理指示を与えるＣＰＵ、１０２はＣＰＵにて行う処理内容の手順等のプログラムやデータなどを保持する主メモリ、
１０３はイメージスキャナなど紙面等より画像データを取り込む画像データ入力部、１０５は修正・追記等の画像編集及び処理内容の指示をユーザが入力するキーボード、１０６は修正・追加等の画像編集及び処理内容の指示をユーザが入力するマウス
　
（１ｂ）「【００１６】
次にユーザは、ＣＲＴ１１４に表示された原画像データについて、修正・追記処理を行う。このとき、修正・追記された内容について、修正・追記画像データを作成し、該データを追記画像イメージメモリ１０８へ蓄積する（ステップ２０４）。更に、原画像データと修正・追記画像データは、画像データ合成部１０９により合成され、合成画像イメージメモリ１１０内に蓄積されると共に、この合成画像データはＣＲＴ１１４へ出力・表示される
　
（１ｃ）「【００１８】
画像修正・追記処理が終了した時点で、ユーザはキーボード１０５もしくはマウス１０６より印刷指示を行う。
　
（１ｄ）図３は以下のとおりのものである。
　
【図３】
　
　これらの記載から、引用刊行物１には次の発明（以下、「引用発明１」という。）が記載されているものと認められる。
　
「イメージスキャナなど紙面等より画像データを取り込んで原画像データを作成し、次にキーボードやマウスを用いて修正・追記画像データを作成して、原画像データと修正・追記画像データを画像データ合成部により合成して合成画像イメージメモリ内に蓄積し、合成画像データをＣＲＴへ出力・表示し、その後ユーザーによる印刷指示によって印刷を実行する装置。」
　
（２−２）引用刊行物２
　同じく本願の優先日前に頒布された特許第２７３４４７１号公報（以下、「引用刊行物２」という。）には、図面とともに以下の事項が記載されている（下線は当審で付与）。
　
（２ａ）「【００１２】
第１或いは第２画像入力装置１ａ，１ｂ等の画像入力手段１からの画像データは、編集手段２に供給され所定の画像処理を施された後
　
（２ｂ）「【００１６】前記命令実行部７で作成され出力画像記憶部９ａ〜９ｄに記憶された出力用画像は、重ね合わせ処理実行部１０において、出力画像記憶部９ａ〜９ｄに記憶されている前記位置情報に基づいて合成の処理が行わる。この合成の処理の際には、各画像に上下の優先順序を付けて重ね合わせられたり、半透明の状態で重ね合わせられたりする。
重ね合わせ処理後の画像は、印刷装置３ａ，３ｂ，表示装置３ｃ等の画像出力手段３に供給され、印刷或いは表示が行われる
【００１７】
次に、上述の画像編集装置における原稿編集処理動作について、第１画像入力装置１ａから１枚目及び２枚目の原稿の画像を読み取り、第２画像入力装置１ｂから３枚目の原稿の画像を読み取って、３枚の原稿の画像を重ね合わせて表示装置３ｃに表示し、その後、２枚目の原稿の画像の合成位置を移動する調整を行った後に、合成後の画像を第１印刷装置３ａにより印刷する場合を例に挙げて説明する
【００１８】いま、画像入力手段として第１画像入力装置１ａを指定し、記憶手段として入力画像記憶部４ａ及び出力画像記憶部９ａを指定したとする。また、編集作業時は、出力媒体として表示装置３ｃが指定される。
【００１９】第１画像入力装置１ａにより１枚目の原稿の画像が読み込まれると、図２（ａ）に示すように１枚目の原稿の画像Ｐは、入力画像記憶部４ａに書き込まれる。すなわち、入力画像記憶部４ａの内容が更新される。また、
入力画像記憶部４ａに対応する命令記憶部６ａには、デフォルトデータが書き込まれる。このデフォルトデータは、第１画像入力装置１ａの解像度に適合した解像度データや原稿との色を一致させるためのデータである
【００２０】命令実行部７は、入力画像記憶部４ａに記憶された画像Ｐに対し、命令記憶部６ａに記憶された命令を適用して出力用画像ｐを生成し、出力画像記憶部９ａに記憶する（図２（ｄ）参照）。この場合、命令はデフォルトデータであるので、見掛けの大きさ，色等が原稿と一致した出力画像が生成される。
【００２１】重ね合わせ処理実行部１０は、出力画像記憶部９ａに記憶された出力用画像ｐを表示装置３ｃに出力する。この場合、出力媒体が比較的解像度の低いＣＲＴディスプレイ等の表示装置３ｃであるので、出力媒体特性記憶部８からは、低解像度処理を指示する情報が命令実行部７に与えられる。低解像度処理の場合、処理すべき画像データの量は少ないので、出力用画像を短時間で生成することができる。
【００２２】上述の処理で、表示装置３ｃには、第１画像入力装置１ａで読み込んだ原稿の画像Ｐに対応する出力画像が表示される。
【００２３】次に、編集指示部５から入力画像記憶部４ａに記憶された画像に対して編集指示が与えられると、命令記憶部６ａの内容が更新される。その後、命令実行部７が、前記更新された命令記憶部６ａに記憶されている命令に従って出力画像記憶部９ａの内容を更新し、重ね合わせ処理実行部１０が、表示装置３ｃに更新された出力用画像ｐを表示する。
【００２４】次に、第１画像入力装置１ａから２枚目の原稿の画像が読み込まれると、２枚目の原稿の画像Ｑは、入力画像記憶部４ｂに記憶され（図２（ｂ）参照）、対応する命令記憶部６ｂにはデフォルトデータが書き込まれる。命令実行部７は１枚目の原稿の場合と同様に出力画像記憶部９ｂの内容を更新して出力用画像ｑとし（同図（ｅ）参照）、重ね合わせ処理実行部１０が、１枚目と２枚目の原稿の画像を合成して表示装置３ｃ上に表示する（同（ｇ）参照）。合成のための基準位置及び有効領域の情報は、編集指示部５からの編集指示に従って、たとえば、ｍｍ単位で命令記憶部６ｂに一旦記憶される。次に、これらの情報は、命令実行部７により出力画像記憶部９ｂに送られ、ドット単位の表現に変換される。このようにして、２枚目の原稿の画像Ｑの合成位置を示す基準位置Ｘ１，Ｙ１，有効領域Ｈ１，Ｖ１を示す配置情報は、出力先媒体におけるドット数に変換され、所定の位置に重ね合わされる。
【００２５】次に、
第２画像入力装置１ｂから３枚目の原稿の画像が読み込まれると、３枚目の原稿の画像Ｒは入力画像記憶部４ｃに記憶され（図２（ｃ）参照）、対応する命令記憶部６ｃにはデフォルトデータが書き込まれる。
重ね合わせ処理実行部１０が、１枚目，２枚目及び３枚目の原稿の画像を重ね合わせて表示装置３ｃ上に表示する（図２（ｈ）参照）。このとき、３枚目の原稿の出力用画像ｒの合成位置は、出力画像記憶部９ｃに記憶されている出力先媒体における画像の基準位置Ｘ２，Ｙ２，有効領域Ｈ２，Ｖ２に対応する配置情報に基づいて決定される
【００２６】重ね合わせ処理実行部１０は、２枚目以降は複数の有効な出力用画像に対する合成の処理を実行する。たとえば、図２（ｅ），（ｆ）においてハッチングを施した部分が、編集指示部５により指定された出力用画像ｑ，ｒの有効部分を示しており、１枚目の原稿の画像をベースとし、２枚目以降の原稿から切り取った部分的な画像を、順次重ねていく。
２枚と３枚目が重なった場合は、３枚目が上になって表示される。なお、３枚目を半透明で表示する場合もある
　
　これらの記載から、引用刊行物２には次の発明（以下、「引用発明２」という。）が記載されているものと認められる。
　
「重ね合わせ処理後の画像を表示装置等に表示する装置であって、
印刷を行うための第１画像入力装置から読み込まれた１枚目の原稿の画像と２枚目の原稿の画像と、
前記１枚目の原稿の画像と２枚目の原稿の画像による印刷を行われた印刷像に、重ね合わせて印刷を行うための、画像の基準位置Ｘ２，Ｙ２が付加された３枚目の原稿の画像を作成する第２画像入力装置と、
画像の基準位置Ｘ２，Ｙ２を参照して、１枚目の原稿の画像と２枚目の原稿の画像と、３枚目の原稿の画像を、２枚と３枚目が重なった場合は、３枚目が上となって表示されるように表示するようなデータを合成の処理を実行する重ね合わせ処理実行部と、
前記重ね合わせられた画像を表示する表示手段を有する装置。」
　
（３）対比・判断
　
（３−１）引用発明１との対比・判断
　本願補正発明と引用発明１とを対比すると、引用発明１の
「原画像データ」、
（紙面等より画像データを取り込んで原画像データを作成する）「イメージスキャナ」、
「修正・追記画像データ」、
「キーボードやマウス」、
「合成画像データ」、
「ＣＲＴ」
は、それぞれ、本願補正発明の
「第１印刷データ」、
「第１印刷データ作成手段」、
「第２印刷データ」、
「第２印刷データ作成手段」、
「第３印刷データ」、
「表示手段」
　
に相当する。
　
　また、引用発明１では、合成画像データをＣＲＴに出力した後に印刷を実行しているのであるから、ＣＲＴに表示される画像は印刷前の「プレビュー」であるといえ、引用発明１の「装置」は、本願補正発明の「印刷画像のプレビュー装置」に相当する。
　
　してみると、両者は、
「印刷実行前に印刷結果を表示する印刷画像のプレビュー装置であって、媒体に対して印刷を行うための第１印刷データを作成する第１印刷データ作成手段と、
前記第１印刷データによる印刷が行われた媒体に対して前記第１印刷データの印刷像に重ね合わせて印刷を行うための第２印刷データを作成する第２印刷データ作成手段と、
第１印刷データに第２印刷データを合成した第３印刷データを作成する第３印刷データ作成手段と、
第３印刷データの印刷像を表示する表示手段と
を有する印刷画像のプレビュー装置。」
の点で一致し、
　
以下の点で相違する。
　
・相違点１
　本願補正発明では、第１印刷データ及び第２印刷データにオフセット情報が付加されていて、両者の合成にあたって、第１印刷データおよび／もしくは第２印刷データに付加されたオフセット情報を参照して行っているのに対し、引用発明１ではかかるオフセット情報が付加されているか不明である点。
　
・相違点２
　本願補正発明は、印刷が「追い刷り印刷」であって、第１印刷データに第２印刷データを合成する際に、第２印刷データを第１印刷データをマスクするように合成しているのに対し、引用発明１では合成にあたって、画像が重なった場合にどのように扱っているのか不明である点。
　
　上記相違点について検討する。
　
・相違点１について
　まず、本願補正発明における「オフセット情報」について検討すると、本願明細書の発明の詳細な説明には以下の記載がある。
『【００３２】前印刷データ作成部１７１は、画像処理端末４から送信されてきたソースデータＳＤを元に、印刷物を作成するための前印刷データＦＰＤを作成する。オペレータが入力部１３を操作して、所望の印刷サイズを設定し、印刷サイズで示される領域の所望する位置にソースデータＳＤの内容を配置することにより、印刷物として紙葉に表現する印刷像を格納した前印刷データＦＰＤが作成される。ここで、
「前印刷データ」とは、印刷媒体である紙葉などに一度目の印刷を行うための印刷データを意味する。また、前印刷データ作成部１７１は、オペレータによる入力部１３の操作により、作成された前印刷データＦＰＤに対して紙葉オフセット情報ＦＰＯＤを付加する。前印刷データＦＰＤに付加された紙葉オフセット情報ＦＰＯＤは、紙葉に前印刷データＦＰＤの印刷像が印刷される際の位置情報である
【００３３】後印刷データ作成部１７２は、画像処理端末４から送信されてきたソースデータＳＤを元に、印刷物を作成するための後印刷データＢＰＤを作成する。前印刷データ作成部１７１の処理と同様に、オペレータが入力部１３を操作して、所望の印刷サイズを設定し、印刷サイズで示される領域の所望する位置にソースデータＳＤの内容を配置することにより、印刷物として紙葉に表現される印刷像を格納した後印刷データＢＰＤが作成される。ここで、「
後印刷データ」とは、印刷媒体である紙葉などに印刷を行う際、先に印刷が行われた紙葉に対して再度印刷を行うための印刷データを意味する。
後印刷データ作成部１７２は、オペレータによる入力部１３の操作により、作成された後印刷データＢＰＤに対して紙葉オフセット情報ＢＰＯＤを付加する。後印刷データＢＰＤに付加された紙葉オフセット情報ＢＰＯＤは、紙葉に後印刷データＢＰＤの印刷像が印刷される際の位置情報である
　
　これらの記載を参酌すると、本願補正発明における「オフセット情報」は、発明の詳細な説明における「紙葉オフセット情報」に相当し、紙葉に印刷データの印刷像が印刷される際の位置情報を指していることが読み取れる。
　ここで、引用発明１における画像の合成は、図３にみられるように、原画像の太陽絵柄のデータと、追記画像の山絵柄のデータを合成する際には、両者の位置をでたらめに合成しているのではなく、それぞれの位置を定めて合成していることがわかる。
　そうすると、引用発明１においても明記はないものの、第１印刷データ及び第２印刷データには、それぞれ印刷する媒体における位置を表すなんらかの情報、すなわち本願補正発明におけるオフセット情報に相当する情報を有しているものと考えるのが相当である。
　してみると、上記相違点１は実質的な相違点ではない。
　
・相違点２について
　２つの異なる画像を合成する際に、重なり合う部分について、後から追加する画像を優先させるようにすることは周知（必要であれば、前置報告書で引用文献７として引用した特開平４−２０５３４６号公報の第３ページ右上欄〜右下欄、後述する引用刊行物２である特許第２７３４４７１号公報の段落【００２６】等参照）であり、引用発明１における画像の合成の際に、後から重ねる第２印刷データを優先して、第１印刷データをマスクするように合成することは、当業者が適宜容易になし得ることである。
　
　効果の点についても、本願補正発明の効果は、引用発明１及び周知技術から予測し得る程度のものにすぎない。
　
　したがって、本願補正発明は、引用刊行物１に記載された発明及び周知技術に基づいて、当業者が容易に発明をすることができたものであるから、特許法第２９条第２項の規定により特許出願の際独立して特許を受けることができない。
　
（３−２）引用発明２との対比・判断
　本願補正発明と引用発明２とを対比すると、引用発明２の
「１枚目の原稿の画像と２枚目の原稿の画像」、
「第１画像入力装置」、
「画像の基準位置」、
「３枚目の原稿の画像」、
「第２画像入力装置」、
「重ね合わせ処理実行部」、
「装置」
　
は、それぞれ本願補正発明の
「第１印刷データ」、
「第１印刷データ作成手段」、
（第２印刷データ用の）「オフセット情報」、
「第２印刷データ」、
「第２印刷データ作成手段」、
「第３印刷データ作成手段」、
「印刷画像のプレビュー装置」
　
に相当する。
　
　また、引用刊行物２には、「重ね合わせ処理後の画像は、印刷装置、表示装置等の画像出力手段に供給され、印刷或いは表示が行われる。」と記載されているのであるから、重ね合わせ処理後の画像を、いったん表示装置において表示させた後に、印刷を行う、すなわち印刷実行前に印刷結果を表示することも示唆されているものといえる。さらに、印刷を行う際に、何らかの媒体に対して印刷を行うことは当然のことである。
　また、引用発明２の「２枚と３枚目が重なった場合は、３枚目が上となって表示されるように表示する」は、３枚目の方を２枚目の上となって表示することであるから、３枚目のデータが２枚目のデータをマスクするようにしていることにほかならず、本願補正発明の「第１印刷データに第２印刷データを第１印刷データをマスクするように上書き合成」することに相当する。さらにその点を考慮すると、引用発明２における第２印刷データの印刷も、「追い刷り印刷」であるものといえる。
　
　してみると、両者は、
「印刷実行前に印刷結果を表示する印刷画像のプレビュー装置であって、
媒体に対して印刷を行うための第１印刷データを作成する第１印刷データ作成手段と、
前記第１印刷データによる印刷が行われた媒体に対して前記第１印刷データの印刷像に重ね合わせて追い刷り印刷を行うためのオフセット情報が付加された第２印刷データを作成する第２印刷データ作成手段と、
第２印刷データに付加されたオフセット情報を参照して第１印刷データに第２印刷データを合成した第３印刷データを作成する第３印刷データ作成手段と、
第３印刷データの印刷像を表示する表示手段と
を有する印刷画像のプレビュー装置。」
の点で一致し、
　
　以下の点で相違する。
　本願補正発明では、第１印刷データにオフセット情報が付加されていて、両者の合成にあたって、第１印刷データおよび／もしくは第２印刷データに付加されたオフセット情報を参照して行っているのに対し、引用発明２ではかかるオフセット情報が付加されているか不明である点。
　
　上記相違点について検討する。
　引用刊行物２の段落【００１８】〜【００２４】には、第１画像入力装置によって１枚目の原稿の画像が読み込まれたときに、入力画像記憶部に対応する命令記憶部にデフォルトデータが書き込まれ、編集指示部からの指示がない限り、デフォルトデータに基づいて、見掛けの大きさ、色等が原稿と一致した出力画像を生成することが記載されている。
　ここで、本願補正発明における「オフセット情報」とは、上記引用発明１との相違点１において検討したように、発明の詳細な説明における「紙葉オフセット情報」に相当し、紙葉に印刷データの印刷像が印刷される際の位置情報を指していることが読み取れる。
　そして、上記の引用刊行物２に記載されているデフォルトデータは、見掛けの大きさが原稿と一致した出力画像が生成されるように機能しているのであるから、本願補正発明におけるオフセット情報に相当する機能を有しているといえる。
　引用刊行物２に記載の上記デフォルトデータは、命令記憶部に書き込まれるもので、原稿の画像に付随したものではないが、原稿の画像を表示する際に用いるデータを、本体の別の記憶部に記憶させておくか、データに付加させるようにするかは、当業者が適宜変更しうることにすぎない。
　
　効果の点についても、本願補正発明の効果は、引用発明２及び引用刊行物２の記載から予測し得る程度のものにすぎない。
　
　したがって、本願補正発明は、引用刊行物２に記載された発明に基づいて、当業者が容易に発明をすることができたものであるから、特許法第２９条第２項の規定により特許出願の際独立して特許を受けることができない。
　
（４）補正の却下の決定についてのむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　
（１）本願発明
　平成２０年６月２７日付けの手続補正は上述のとおり却下されたので、本願の請求項１に係る発明（以下、「本願発明」という。）は、本件補正前の平成２０年１月２１日付け手続補正書により補正された、特許請求の範囲の請求項１に記載された以下のとおりのものである。
 　
「【請求項１】印刷実行前に印刷結果を表示する印刷画像のプレビュー装置であって、
媒体に対して印刷を行うための第１印刷データを作成する第１印刷データ作成手段と、
前記第１印刷データによる印刷が行われた媒体に対して前記第１印刷データの印刷像に重ね合わせて印刷を行うための第２印刷データを作成する第２印刷データ作成手段と、
前記第１印刷データに第２印刷データを上書き合成した第３印刷データを作成する第３印刷データ作成手段と、
前記第３印刷データの印刷像を表示する表示手段と、
を有する印刷画像のプレビュー装置。」
　
（２）引用刊行物
　原査定の拒絶の理由に引用文献１として引用された、本願の優先日前に頒布された特開平７−３３６５２７号公報（以下、「引用刊行物３」という。）には、図面とともに以下の事項が記載されている（下線は当審で付与）。
　
（ａ）「【００２２】すなわち、
原稿台１にセットされた第１の原稿をスキャンするために、照射ランプ２，反射傘３，ミラー４からなる移動光学系が図示のＨＰ（ホームポジション）から図の右側へ移動し、スキャン終了とともに再びＨＰに帰ってくる。この間、原稿画像はミラー４，５，６で反射され、レンズ７を通り、ＣＣＤ８へ結像する。そして、ＣＣＤ８に結像した画像は、図１の制御装置５１内でデジタル信号に変換され、記憶部５２のメモリ５２ａに保持される
【００２３】上記メモリ５２ａに保持されたデジタル画像情報は、コピー動作が始まるとともにレーザーユニット１１に送られ、感光ドラム９上にその情報信号に応じた画像を点の集合として描く。もちろんこの時、デジタル信号に変換された画像情報をメモリ５２ａを介さずに直接レーザーユニット１１に送り、リアルタイムで画像を描くことも可能である。
【００２４】一方、
カールソンプロセスを使った電子写真は、以下のように形成される。まず、時計方向に回転する感光ドラム９は、一次帯電器１０によりその表面が一様に帯電される。次いで、レーザーユニット１１から照射されるレーザー光１２は、ミラー１３により反射され、感光ドラム９上に結像し、静電潜像を形成する。この潜像は現像器１５によりトナーで現像され、顕像となる
【００２５】
続いて、ポスト帯電器１６によりドラム９上のトナーはそのトリボを増加させ、このトナー像はレジストローラー１７により搬送された転写紙上に転写帯電器１８により転写され、分離帯電器１９によりドラム９より分離される。そして、この未定着画像をのせた転写紙は、搬送部２０により定着器２１へ運ばれ、熱定着される
　
（ｂ）「【００３１】
次に、操作者が第２の原稿を原稿台１にセットし、再びコピーキー１０２を押すと、第２の原稿は第１の原稿と同様にスキャンされ、その画像情報はメモリ５２ｂに記憶される。また、上記メモリ５２ａに記憶された第１の原稿の画像情報は、反転手段５３により裏表反転された画像に変換される。そしてこの反転画像は第２の原稿画像と重ね合わされて、図２及び図４に示すようにディスプレイ画面１０１上に表示される。
【００３２】ここで、本実施例では原稿と複写画像の天地が逆になるが、操作者が上記のディスプレイ画像を確認して、ＯＫキー１０４を押すと、第２の原稿を転写紙の２面目にコピーするプロセスが開始される。また、表示されたディスプレイ画像が操作者の希望する画像と異なっている場合は、キャンセルキー１０５を押し、第２の原稿をセットし直して再度コピーキー１０２を押し、画像読み取りを行う。
【００３３】図４は重ね合わせ画像の表示例を示したもので、図４の（ａ）のような表裏の組み合わせは、転写紙の片方の短辺を綴じて複写画像を左右開きで見たいときに有効であり、図４の（ｂ）のような表裏の組み合わせは、転写紙の片方の長辺を綴じて上下開きで見たいときに有効である。特にこの例の場合は原稿が横長なので、（ｂ）の上下開きになるようにしたい。」
　
（ｃ）図４は以下のとおりのものである。
　
【図４】
　
　これらの記載から、引用刊行物３には次の発明（以下、「引用発明３」という。）が記載されているものと認められる。
　
「転写紙上に画像を形成する前に画像情報をディスプレイ画面に表示させる装置であって、
転写紙に対して印刷を行うための、第１の原稿をスキャンした画像情報を作成する制御装置と、
第２の原稿をスキャンした画像情報を作成する制御装置と、
第１の原稿の画像情報は、反転手段により裏表反転させた画像に変換され、この反転画像が第２の原稿画像と重ね合わされてディスプレイ画面上に表示させるようにした装置。」
　
（３）対比・判断
　本願発明と引用発明３とを対比すると、引用発明３の
「転写紙」、
「第１の原稿をスキャンした画像情報」、
「第２の原稿をスキャンした画像情報」、
「制御装置」、
「ディスプレイ画面」、
「装置」
　
は、それぞれ本願発明の
「媒体」、
「第１印刷データ」
「第２印刷データ」
「第１印刷データ作成手段」と「第２印刷データ作成手段」、
「表示手段」、
「印刷画像のプレビュー装置」
に相当する。
　
　また、第１の原稿画像と第２の原稿画像と重ね合わされてディスプレイ画面上に表示させる際には、いったん表示させるためのデータを作成することは当然のことであるから、そのようにして作成されたデータが、本願発明の「第３印刷データ」に相当し、その作成を行っている箇所が「第３印刷データ作成手段」に相当する。
　
　してみると、両者は、
「印刷実行前に印刷結果を表示する印刷画像のプレビュー装置であって、
媒体に対して印刷を行うための第１印刷データを作成する第１印刷データ作成手段と、
前記第１印刷データによる印刷が行われた媒体に対して前記第１印刷データの印刷像に重ね合わせて印刷を行うための第２印刷データを作成する第２印刷データ作成手段と、
第１印刷データに第２印刷データを合成した第３印刷データを作成する第３印刷データ作成手段と、
第３印刷データの印刷像を表示する表示手段と
を有する印刷画像のプレビュー装置。」
の点で一致し、
　
　以下の点で相違する。
　本願発明は、第１印刷データに第２印刷データを合成する際に、第２印刷データを第１印刷データに上書き合成しているのに対し、引用発明３では合成にあたって、画像が重なった場合にどのように扱っているのか不明である点。
　
　上記相違点について検討する。
　２つの異なる画像を合成する際に、重なり合う部分について、後から追加する画像を優先させるようにすることは周知（必要であれば、前置報告書で引用文献７として引用した特開平４−２０５３４６号公報の第３ページ右上欄〜右下欄、引用刊行物２である特許第２７３４４７１号公報の段落【００２６】等参照）であり、引用発明３における画像の合成の際に、後から重ねる第２印刷データを優先して、第１印刷データに上書き合成することは、当業者が適宜容易になし得ることである。
　
　効果の点についても、本願発明の効果は、引用発明３及び周知技術から予測し得る程度のものにすぎない。
　
　したがって、本願発明は、引用刊行物３に記載された発明及び周知技術に基づいて、当業者が容易に発明をすることができたものである。
　
（４）むすび
　以上のとおり、本願の請求項１に係る発明は、引用刊行物３に記載された発明及び周知技術に基づいて当業者が容易に発明をすることができたものであるから、特許法第２９条第２項の規定により特許を受けることができないものであり、本願は、その他の請求項に係る発明について検討するまでもなく、拒絶すべきものである。
　
　よって、結論のとおり審決する。